(57)【要約】【課題】  閉塞感を和らげられ、植栽等ともなじみやすいフェンス等を構成できるパネル体の提供。【解決手段】  幹部２と複数の枝３，４を備え、複数のパネル体１，１，…を横並びに配置したときに、相互のパネル体１の少なくとも１以上の枝３，４の先端部同士が同じ高さ位置にあり、連結自在である。【選択図】      図１
2015078546.tif 000002
【特許請求の範囲】
【請求項１】
幹部と複数の枝を備え、複数のパネル体を横並びに配置したときに、相互のパネル体の少なくとも１以上の枝の先端部同士が同じ高さ位置にあり、連結自在であることを特徴とするパネル体。
【請求項２】
幹部と、幹部から枝分かれした複数の枝部と、枝部からのびる小枝部を有し、枝部と小枝部とで又部を形成してあり、又部は、枝部の基端部よりも高い位置にあることを特徴とするパネル体。
【発明の詳細な説明】
【技術分野】
【０００１】
本発明は、フェンス等に用いられるパネル体に関する。
【背景技術】
【０００２】
従来、住宅の敷地と道路との境界にはブロック塀等が設置されている。ブロック塀は、閉塞感があり、変化がなく、植栽等となじまないという問題があった。
【発明の概要】
【発明が解決しようとする課題】
【０００３】
本発明は以上に述べた実情に鑑み、閉塞感を和らげられ、植栽等ともなじみやすいフェンス等を構成できるパネル体の提供を目的とする。
【課題を解決するための手段】
【０００４】
上記の課題を達成するために請求項１記載の発明によるパネル体は、幹部と複数の枝を備え、複数のパネル体を横並びに配置したときに、相互のパネル体の少なくとも１以上の枝の先端部同士が同じ高さ位置にあり、連結自在であることを特徴とする。前記枝は、幹部から枝分かれした枝部の他、枝部からさらに枝分かれした小枝部を含む。
【０００５】
請求項２記載の発明によるパネル体は、幹部と、幹部から枝分かれした複数の枝部と、枝部からのびる小枝部を有し、枝部と小枝部とで又部を形成してあり、又部は、枝部の基端部よりも高い位置にあることを特徴とする。
【発明の効果】
【０００６】
請求項１記載の発明によるパネル体は、幹部と複数の枝を備えており、このパネル体でフェンス等を構成すれば、さながら生垣のようなイメージとなり、閉塞感が和らげられ、植栽等とも馴染みやすい。また、パネル体自身の意匠性だけでなく、木の形の影や木漏れ日等の演出ができるので、気持ちが和む。さらに本発明のパネル体は、複数のパネル体を横並びに配置したときに、相互のパネル体の少なくとも１以上の枝の先端部同士が同じ高さ位置にあり、連結自在であるため、フェンス等を構成するのに都合がよい。
【０００７】
請求項２記載の発明によるパネル体は、幹部と、幹部から枝分かれした複数の枝部と、枝部からのびる小枝部を有し、枝部と小枝部とで又部を形成してあるので、又部に郵便受けや表札、物干し竿など、好きなものを自由に掛けたり外したりでき、又部が枝部の基端部よりも高い位置にあるため、掛けたものが落ちにくい。
【図面の簡単な説明】
【０００８】
【図１】（ａ）は本発明のパネル体の第１実施形態を示す正面図、（ｂ）は同パネル体の側面図である。
【図２】第１実施形態のパネル体を使用したフェンスの例を示す正面図である。
【図３】第１実施形態のパネル体を使用したフェンス及び門扉を示す正面図である。
【図４】（ａ）は第１実施形態のパネル体を使用した門扉の平面図、（ｂ）は同門扉の正面図である。
【図５】（ａ）は本発明のパネル体の第２実施形態を示す正面図、（ｂ）は同パネル体の側面図である。
【図６】第２実施形態のパネル体を使用したフェンス及び門扉を示す正面図である。
【図７】本発明のパネル体を使用したフェンスの施工例を示す斜視図である。
【図８】本発明のパネル体の他の使用例を示す正面図である。
【図９】図８の使用例に用いられる植木鉢型の台の縦断面図である。
【図１０】本発明のパネル体の他の使用例を示す正面図である。
【図１１】本発明のパネル体の他の使用例を示す正面図である。
【図１２】本発明のパネル体の他の使用例を示す正面図である。
【図１３】本発明のパネル体の他の使用例を示す正面図である。
【図１４】本発明のパネル体の他の使用例を示す正面図である。
【図１５】本発明のパネル体の他の使用例を示す斜視図である。
【図１６】本発明のパネル体の他の実施形態を示す正面図である。
【発明を実施するための形態】
【０００９】
以下、本発明の実施の形態を図面に基づいて説明する。図１は、本発明のパネル体１の第１実施形態を示している。本パネル体１は、広葉樹であるカエデの木をイメージしたもので、幹部２と、幹部２から枝分かれした複数の枝部３，３，…と、枝部３からさらに枝分かれした複数の小枝部４，４，…とを有し、枝部３と小枝部４とで多数の又部５，５，…が形成されている。各枝部３は、基端部から先端部にかけて上向きに傾斜しており、各小枝部４は、枝部３と鋭角の又部５を成すように枝部３から斜めにのびている。又部５は、枝部３の基端部よりも高い位置にある。本パネル体１は、幹部２に対して左右非対称になっており、パネル体１の右端に位置する枝部３ａ，小枝部４ａの先端と、パネル体１の左端に位置する小枝部４ｂ，４ｃの先端とが同じ高さにあって、且つその先端が鉛直になっている。また本パネル体１は、上から下に向かうにつれて板厚が次第に厚くなっている。本パネル体１は、例えばアルミの鋳物で形成され、表面に塗装等の表面処理を行って、白色、黒色、茶色等に適宜着色される。
【００１０】
本パネル体２は、幹部２の下端部を地中に埋め込んで左右方向に複数並べて設置することで、フェンスとすることができる。このとき、パネル体１は上述のように右端に位置する枝部３ａ，小枝部４ａの先端と、左端に位置する小枝部４ｂ，４ｃの先端とが同じ高さに位置しているので、図２（ａ）に示すように、左右に隣り合うパネル体１，１を同じ向きで設置しても、図２（ｂ）に示すように、左右に隣り合うパネル体１，１を逆向きで（１８０°反転して）設置しても、各パネル体１の枝部３ないし小枝部４同士を連続させることができる。連続した枝部３ないし小枝部４は、例えば板状の連結材を渡してビス止めするなどして連結することができる。隣り合うパネル体１，１の枝部３ないし小枝部４を上下に離間した２か所で連結することで、不審者の立ち入りを阻止する機能が高められると共に、フェンスの剛性も高められる。
【００１１】
図３は、本パネル体１を使用してなるフェンス６及び門扉７を示している。フェンス６の部分は、先に述べたように、複数のパネル体１，１，…を左右方向に並べて設置し、枝部３ないし小枝部４を連結して構成してある。
門扉７の部分は、フェンス部６を構成するパネル体１よりも一回り大きい２つのパネル体８，８で構成され、その各パネル体８は、図４に示すように、幹部２の中心で右パネル８ａと左パネル８ｂとに分割し、蝶番９で連結してあり、右パネル８ａ又は左パネル８ｂのうちのフェンス６側の一方のパネル８ｂは、幹部２の下部を地中に埋め込んで立設され、他方のパネル８ａは家側に開くようになっている。フェンス６側のパネル８ｂは、図３に示すように、フェンス６側の端部に枝部３ないし小枝部４がフェンス部のパネル体１と同じ高さに設けられ、フェンス部６のパネル体１と枝部３ないし小枝部４を連結できるようになっている。また門扉部７のパネル体８は、フェンス部６のパネル体１と同様に、枝部３と小枝部４とで多数の又部５が形成されており、図４に示すように、又部５に引っ掛けて郵便受け１０等を設置することができる。又部５は、枝部３の基端部よりも高い位置にあるため、引掛けた郵便受け等１０が落ちにくい。
【００１２】
図５は、本発明のパネル体１１の第２実施形態を示している。本パネル体１１は、針葉樹であるモミの木をイメージしたもので、幹部２と、幹部２から枝分かれした複数の枝部３，３，…と、枝部３からさらに枝分かれした複数の小枝部４，４，…とを有し、枝部３と小枝部４とで多数の又部５が形成されている。各枝部３は、基端部から先端部にかけて上向きに傾斜しており、各小枝部４は、枝部３と鋭角の又部５を成すように枝部３から斜めにのびている。又部５は、枝部３の基端部よりも高い位置にある。本パネル体１１は、幹部２に対して左右対称になっており、下から１番目と２番目の高さにある右方向にのびる枝部３ａ及び小枝部４ａの先端と、左方向にのびる枝部３ｂ及び小枝部４ｂの先端とが同じ高さにあって、且つその先端が鉛直になっている。また本パネル体１１は、上から下に向かうにつれて板厚が次第に厚くなっている。本パネル体１１は、例えばアルミの鋳物で形成され、表面に塗装等の表面処理を行って、白色、黒色、茶色等に適宜着色される。
【００１３】
図６は、第２実施形態のパネル体１１を使用してなるフェンス６及び門扉７を示している。フェンス６は、第１実施形態の場合と同様に、複数のパネル体１１，１１，…を幹部２の下端部を地中に埋め込んで左右方向に並べて設置し、右方向にのびる枝部３ａ及び小枝部３ａの先端と左方向にのびる枝部３ｂ及び小枝部４ｂの先端とを連結して構成してある。
門扉７も、第１実施形態の場合同様に、フェンス部６を構成するパネル体１１よりも一回り大きい２つのパネル体１２，１２で構成され、その各パネル体１２は、幹部２の中心で右パネル１２ａと左パネル１２ｂとに分割し、蝶番で連結してあり、右パネル１２ａ又は左パネル１２ｂのうちのフェンス６側の一方のパネル１２ｂは、幹部２の下部を地中に埋め込んで立設され、他方のパネル１２ａは家側に開くようになっている。
【００１４】
図７は、第１実施形態のパネル体１を使用したフェンス６と、第２実施形態のパネル体１１を使用したフェンス６とが混在した例を示している。同図に示すように、本発明のパネル体１，１１を用いることで、斬新な生垣風のフェンスを構成することができ、ブロック塀のような閉塞感がなく、植栽等ともよく馴染む。
【００１５】
以上に述べたように本発明のパネル体１，８，１１，１２は、幹部２と、幹部２から枝分かれした複数の枝部３を有し、木に似た形状となっているので、このパネル体１，８，１１，１２でフェンス６を構成すれば、さながら生垣のようなイメージとなり、閉塞感が和らげられ、植栽等とも馴染みやすい。また、パネル体１，８，１１，１２自身の意匠性だけでなく、木の形の影や木漏れ日等の演出ができるので、気持ちが和む。さらに本パネル体１，８，１１，１２は、左右両端に枝部３ないし小枝部４を同じ高さに設けてあるため、複数のパネル体１，８，１１，１２を枝部３ないし小枝部４で連結し、連続的に施工できる。さらに第１実施形態のパネル体１については、左右非対称形でありながら枝部３ないし小枝部４で連結することができ、隣接するパネル体１，１を同じ向きで設置する場合と逆向きで設置する場合とを選択できる。さらに、相互のパネル体１，８，１１，１２の複数の枝（枝部３ないし小枝部４）の先端部同士が同じ高さにあり、連結自在であることで、パネル体の強度が高い。また本パネル体１，８，１１，１２は、枝部３と小枝部４とで又部５が形成されているので、又部５に郵便受け１０やプランター、リース、表札等を、利用者の好きなときに好きなように引っ掛けたり外したりできる。又部５が枝部３の基端部よりも高い位置にあるため、引っ掛けた郵便受け１０等が落ちにくい。また本パネル体１，８，１１，１２は、幹部２と枝部３と小枝部４に葉や花等の装飾がないので、郵便受け１０等を引っ掛ける時に邪魔になるものがなく、引っ掛けやすい。さらに本パネル体１，８，１１，１２は、アルミの鋳物等で形成した剛性を備えたものとなっており、枝部３や小枝部４が非可撓性、非弾性のため、又部５に郵便受け１０などを引っ掛けた時に、枝部３や小枝部４が変形して郵便受け１０等が落下することがない。パネル体１，８，１１,１２は、幹部２、枝部３、小枝部４が、上下方向ないし横方向にのみ配置された平面的なもののため、見込み方向の寸法が小さくできて、パネル体の設置スペースを取らない。また、パネル体８，１２を左右に分割し蝶番等で連結することで、門扉７として利用することができる。
【００１６】
本発明のパネル体１，８，１１，１２は、フェンス６や門扉７として利用できる他、以下に説明するように様々な用途に利用することができる。
図８は、本発明のパネル体１，１１を植木鉢型の台１３を使用して立たせ、木を模したスタンド１４としたものである。植木鉢型の台１３は、図９に示すように、上面にパネル体１，１１の幹部２を差し込む差込口１５を有し、内部が中空になっており、上面に形成した注水口１６から内部に水３０を入れて、パネル体１，１１が倒れないように保持する。
【００１７】
図１０は、本発明のパネル体１１を使用したスタンド１４の使用例であって、クリスマスツリーとして使用する場合を示している。パネル体１１は、モミの木を模した第２実施形態のパネル体１１を使用しており、このパネル体１１の枝部３や小枝部４に電飾１７やオーナメント１８等を引掛けている。パネル体１１は、枝部３と小枝部４が横方向にのみ配置され、見込み方向の寸法が小さくできるため、通常のツリーと比べて設置スペースを取らない。
【００１８】
図１１は、本発明のパネル体１を使用したスタンド１４の他の使用例であって、オフィスや店舗等に置いて用いられる掲示板としての使用例を示している。本使用例では、パネル体１の枝部３や小枝部４に、葉の形の付箋１９ａ、花の形の付箋１９ｂ、実の形の付箋１９ｃを適宜貼り付けている。
【００１９】
図１２は、本発明のパネル体１，１１を使用したスタンド１４の他の使用例であって、洋服２０や帽子２１、かばん２２等を掛けるハンガーとしての使用例を示している。パネル体１，１１は、木を模した形状となっていることで、デザイン性に優れる上、枝部３と小枝部４とで又部５が多数形成されているため、洋服２０や帽子２１等をたくさん掛けることができ、機能性にも優れている。
【００２０】
図１３は、本発明のパネル体１を使用したスタンド１４の他の使用例であって、ベランダに置いた場合を示している。パネル体１の枝部３ないし小枝部４には、小鳥や果実の形をした飾り２３ａ，２３ｂを取付け、又部５には植物を植えたプランター２４を吊り下げている。さらに、ベランダに置いた別のプランター２５に植えた植物２６を、パネル体１の枝部３ないし小枝部４に絡み付かせている。このように本パネル体１は、木の形をしているので植物とよく馴染み、プランター２４等を吊り下げるのにも都合がよく、ベランダの雰囲気を向上できる。
【００２１】
図１４は、本発明のパネル体１１の他の使用例であって、畑や花壇等で植物を育てるための支柱として用いる場合を示している。パネル体１１は、幹部２の下部を地中に埋め込んで立たせてあり、幹部２と、幹部２から枝分かれした枝部３と、枝部３からさらに枝分かれした小枝部を４有しているので、キュウリ等のツル植物２７がよく絡み付き、ツル植物２７を旺盛に育成できる。
【００２２】
図１５は、本発明のパネル体１１の他の使用例であって、物干し竿２８を掛けるスタンドとして用いる場合を示している。本スタンドは、一対のパネル体１１，１１を間隔をあけて対向して設置してあり、パネル体１１は、枝部３と小枝部４とで又部５が多数形成されているので、都合のよい高さに物干し竿２８を掛けて洗濯物２９を干すことができる。又部５が枝部３の基端部よりも高い位置にあるため、掛けた物干し竿２８が落ちにくい。パネル体１１は、幹部２を直接地中に埋め込んで立たせてもよいし、先に述べたような植木鉢型の台１３を使用して立たせてもよい。
【００２３】
本発明は以上に述べた実施形態に限定されない。パネル体の材質、大きさ、形状等は、適宜変更することができる。パネル体１は、図１６に示すように、幹部２から右方向にのびる枝部３ｃと幹部２から左方向にのびる枝部３ｄとを、異なる高さ位置に段違い状に設けたものであってもよく、その場合でも隣接するパネル体１を逆向きで（１８０°反転して）配置することで、相互のパネル体１の枝部３ｃ，３ｄの先端部同士が同じ高さ位置となり、枝部３ｃ，３ｄの先端部同士を連結できる。枝３，４の先端部同士を連結する手段は任意であり、例えば枝３，４の先端部を突き合わせて溶接したり、枝３，４の先端部同士を重ね合わせてビス等で固定したりすることもできる。本発明のパネル体の用途は、特に限定されるものではなく、工夫次第で様々な用途に利用できる。
【符号の説明】
【００２４】
１，８，１１，１２  パネル体
２  幹部
３  枝部（枝）
４  小枝部（枝）
５  又部
６  フェンス
７  門扉
【図１】
2015078546.tif 000003
【図２】
2015078546.tif 000004
【図４】
2015078546.tif 000005
【図５】
2015078546.tif 000006
【図８】
2015078546.tif 000007
【図９】
2015078546.tif 000008
【図１５】
2015078546.tif 000009
【図１６】
2015078546.tif 000010
【図３】
2015078546.tif 000011
【図６】
2015078546.tif 000012
【図７】
2015078546.tif 000013
【図１０】
2015078546.tif 000014
【図１１】
2015078546.tif 000015
【図１２】
2015078546.tif 000016
【図１３】
2015078546.tif 000017
【図１４】
2015078546.tif 000018